(57)【要約】【課題】香料、医薬品、殺菌剤など生活の中で使用する化学物質を霧に含有して放出する装置に関する。課題は、化学物質の種類を容易にかつ高速に切り替える。嗅覚特性が良く、視覚的にも美しく放出する。小型、経済的で使い易い構成にする。【解決手段】液体を局所的に霧化する手段と、霧化エネルギーを用いて取り込んだ霧を搬送する霧搬送筒と、当該霧搬送筒の下部と当該液面との空間に瞬間的に高い気圧を発生させる手段（空気砲）とから構成する。霧を環状固まり、または、帯状にして放出する。超音波を凹面鏡レンズで集束反射させて液体を霧化する。霧搬送筒は、飛散液体を取り囲むように、筒下部から空気が入るように、散乱超音波を進行波に変換するように構成する。静電方式の霧化手段を用いてもよい。霧化手段と空気砲は連動させる。霧搬送筒上部に化学物質含有物を設けることで、香料含有霧を高速に切り替える。【選択図】    図１
2007181654.tif 000002
【特許請求の範囲】
【請求項１】
液体を局所的に霧化する手段と、当該霧を取り込み、当該霧化エネルギーを用いて霧を搬送する霧搬送筒と、当該霧搬送筒の下部と当該液面との空間に瞬間的に高い気圧を発生させる手段とから構成され、霧を固まりとして放出することを特徴とする霧放出装置
【請求項２】
請求項１において、前記液体を局所的に霧化する手段は、超音波振動子と、当該超音波振動子の振動面を満たすように設けられた超音波伝播媒体または霧化対象液体と、当該超音波伝播媒体または霧化対象液体の中に設けられ、当該霧化対象液体の界面付近に超音波を集束させて当該液体を霧化するための超音波集束反射機構とから構成され、
前記霧搬送筒は、当該超音波の集束によって局所的に飛散する液体を取り囲むように、かつ、当該筒下部から空気が入るように、かつ、当該液体の飛散とともに発生する散乱超音波を進行波に変換する超音波反射管によって構成され、
前記瞬間的に高い気圧を発生させる手段は、空気砲によって構成されることを特徴とする霧放出装置
【請求項３】
請求項１において、前記液体を局所的に霧化する手段は、帯電させた液体を噴射させるための液体噴射管と、当該管の先端に設けた高電圧を印加するための噴射電極と、前記霧搬送筒の下部に設けられた対向電極とから構成され、
当該霧搬送筒は、局所的に飛散する液体を取り囲むように、かつ、当該筒下部から空気が入るように構成され、
前記瞬間的に高い気圧を発生させる手段は、空気砲によって構成されることを特徴とする霧発生装置
【請求項４】
請求項１において、前記霧搬送筒、または、当該霧搬送筒につながる霧放出筒の先端部を当該筒の腹部に比べて断面積が２／３〜１／１０程度になるように細くするとともに、先端角度αを２０度から８０度の範囲に設定したことを特徴とする霧発生装置
【請求項５】
請求項１において、前記液体を局所的に霧化する手段と、前記瞬間的に高い気圧を発生させる手段は、連動するように駆動されることを特徴とする霧発生装置
【請求項６】
請求項１から請求項５において、前記霧搬送筒の下部と前記液面との空間を開閉する機構を設けたことを特徴とする霧発生装置
【請求項７】
請求項１から請求項６において、前記液体を局所的に霧化する手段は、化学物質を含有する少量の液体を局所的に霧化する手段であって、前記霧搬送筒は、局所的に飛散する液体を取り囲むように、かつ、当該筒下部から空気が入るように、かつ、霧化されなかった滴状液体を当該局所的に飛散する液体の近傍に戻すように構成されることを特徴とする霧発生装置
【請求項８】
請求項１から請求項７において、前記霧搬送筒の上部には、霧に化学物質を含有する手段が設けられることを特徴とする霧発生装置
【発明の詳細な説明】
【技術分野】
【０００１】
本発明は、主として、香料、医薬品、殺菌剤など生活の中で使用する化学物質を霧または気体に含有して放出するための空気砲を用いた霧放出装置に関する。
【背景技術】
【０００２】
以下では、化学物質として香料を霧または気体に含有して放出する装置について、従来の問題点を説明する。
【０００３】
従来の香り発生器は、大きく自然揮発式と強制拡散式に分けられる。自然揮発式としては、例えば、特開平０８−１６４１９４、実開平０５−０２１９５０、特開平０１−１８１８７１に開示されているように、液体香料の入った瓶にロープを入れ、ロープの先端を瓶から少し出し、ロープに染み込んだ液体香料を空気中で自然に気化させる方式が良く知られている。
【０００４】
構造は簡単だが、空気に触れる面積が限られると気化量が少なく、嗅覚刺激が弱い、周囲に香りが広がり難いという問題がある。また、瓶を倒すと液がロープを伝ってこぼれると言う問題もある。更に、多くの製品が、使用できる液体香料は１種類に限られ、香料を切り替えて使うことは難しい。
【０００５】
一方、強制拡散式としては、例えば、実開平０５−０４８９４６、特開平０８−３３２４２０に開示されているように、霧吹きの原理を利用した香り発生装置が良く知られている。管の一方を液体香料に浸し、管の先端を細くして横から空気を吹き付ける。当該管先端の気圧は下がるため、液体香料は管の先端まで上昇し、吹き飛ばされて霧状になる。その霧を容器の中で循環させ、大きな粒子を落下させて排除した後、微粒子を容器から放出する。
【０００６】
この方式では、香料発生量は多く強い香りを感じるが、霧吹き機構が複雑なため、小型に製造することは難しく、製造コストも高くなりやすい。また、容器が汚れた際には、洗浄が面倒である。液体香料溜めには通常１種類の液体香料しか入らないため、香りの切り替えは難しい。空気の吹き付けにはエアーポンプを使用するが、ポンプは振動と音を伴うため静寂ではない等の問題がある。
【０００７】
強制拡散式として、最近、液体を超音波で霧化する方式が注目されている（例えば、特開２００３−２４５５８０）。香料含有液体を用いると、霧と共に香りが放出されるので、魅力的な商品になる。
【０００８】
しかし、前記文献の構造の装置では、香料含有液体を霧化する場合、超音波振動子が当該液体で十分に満たされる必要があるため、多くの液体を必要とする。従って、香料が無駄になる、装置内部が汚染されるなどの問題がある。また、超音波で常温の液体を霧化する方式では気化が不十分なため、嗅覚刺激が弱い、霧の流れが乱れて周辺に落下しやすく、汚染の原因になる、などの問題がある。
【０００９】
つまり、霧に香料を含有して放出する実用的な装置を開発するためには、ａ）香料を含有する霧化対象液体を少なくする、または、装置内部を汚染する心配のない水の霧を発生させその中に香料を含有させる、ｂ）発生した霧を所定の方向に効率よく美しく放出することなどが課題である。
【００１０】
霧化対象液体を少なくする課題については、特許第３５４７１３２号に超音波伝播媒体と切り離して霧化対象液体を容器に入れて保持する方法が開示されている。同文献では、当該媒体として、０．４９以上のポアソン比を有するゲル状物質を用いて、超音波を霧化対象液体に伝播させる。また、当該超音波伝播媒体内に設けた凹面鏡で超音波を集束反射させ、液体を液面付近で局所的に霧化させる。この方式では、霧化対象液体の液層は浅くてよいため、従来の超音波伝播媒体を用いない方式に比べると液体の量は少なくて済む。
【００１１】
しかし、空中に飛散した霧、または、滴状液体の処理に関しては、特徴的な技術は開示されていない。滴状液体を容器の内壁に衝突させて落下させる場合、一般に滴状液体は広く飛散するため、霧化対象液体を入れる容器は落下する滴状液体を受けるため面積は広くする必要がある。従って、前記のように、液層は浅くてよいが、当該容器の面積はある程度広くする必要があり、液量の減少には限界がある。
【００１２】
また、霧の放出については、羽車により気流を発生させ搬送する方式が示されているが、この場合、放出される霧は気流により高速に揺らぐため、霧の姿を美しく演出することは難しい。また、羽が回る音、振動も小さな装置では問題になる。更に、筒の中に羽を入れると、装置が複雑になる、小形化の障害になる、香料で羽が汚れるためメンテナンスが面倒であるなどの問題もある。
【００１３】
霧を所定の方向に美しく放出するためには、従来より空気砲の利用が有効なことが知られている。特許第３６７５２０３号には、超音波によって発生させた霧を空気砲を用いて放出する装置において、環状霧を吹き出す際の時間間隔、速度、圧力を制御することで、連続して放出される環状霧ごとに異なる運動状態を作る制御技術が開示されている。霧を所定の場所に搬送するために有効であり、霧が飛行する様子も美しい。
【００１４】
しかし、霧を発生させる領域と、霧を固まりとして放出する空気砲領域が分離されており、超音波により発生させた霧を管路を用いて空気砲の砲筒内に導き放出する構造であるため、装置構成が大きくなる、砲筒の径が大きく、当該砲筒内の気流の流れが一様ではないため（環状霧を放出した後に砲筒内に渦が生じやすい）、砲筒内の霧は１回の動作では放出され難い、装置内で霧に露出される部分が広いため、香料含有液体を霧化した場合、香料が付着した部分の清掃が面倒などの問題がある。
【００１５】
空気砲の中の香料含有霧が、空気砲の動作後において残留する構成では、香りの高速切り替えには適さない。
【００１６】
また、環状霧の放出間隔や速度を変えることはできるが、それ以外の霧の放出モードは開示されていない。
【００１７】
以上のように、香料などの化学物資を霧に含有させて放出する装置において、化学物質の種類を高速に切り替えることができ、小形、経済的で使い易く、癒し効果の高い霧放出装置は、まだ実現されていない。
【００１８】
【特許文献１】特開平０８−１６４１９４
【特許文献２】実開平０５−０２１９５０
【特許文献３】特開平０１−１８１８７１
【特許文献４】実開平０５−０４８９４６
【特許文献５】特開平０８−３３２４２０
【特許文献６】特開２００３−２４５５８０
【特許文献７】特許第３５４７１３２号
【特許文献８】特許第３６７５２０３号
【発明の開示】
【発明が解決しようとする課題】
【００１９】
本発明は、香料、医薬品、殺菌剤など生活の中で使用する化学物質を霧または気体に含有して放出するための空気砲を用いた霧放出装置において、(１)発生した霧を効率よく視覚的に美しい霧の固まりにして放出する、または、ゆっくりと連続的に立ち上る霧の帯にして放出する、（２）霧に含有して放出する化学物質の種類を容易にかつ高速に切り替える、（３）動作中において、砲筒の中、または、装置の中に残留する霧を少なくし、化学物質の切り替えを明確にする、（４）装置内の清掃を容易にし、メンテナンス性を良くする、（５）小型で経済的な装置構成にする、などである。
【課題を解決するための手段】
【００２０】
＜手段１＞
本発明に係わる請求項１に記載の霧放出装置は、例えば、図１、図２、図５に対応付けて説明すると、液体を局所的に霧化する手段（０５）と、当該霧を取り込み、当該霧化エネルギーを用いて霧を搬送する霧搬送筒（２７、または、Ｔ３）と、当該霧搬送筒の下部と当該液面との空間に瞬間的に高い気圧を発生させる手段（７４）とから構成され、霧を固まり（Ｌｍ）として放出することを特徴とする。
【００２１】
前記手段１において、液体を局所的に霧化する手段には、超音波式霧化手段、静電式霧化手段を用いることができる。
【００２２】
＜手段２＞
本発明に係わる請求項２に記載の霧放出装置は、例えば、図１、図２に対応付けて説明すると、前記手段１において、前記液体を局所的に霧化する手段（０５）は、超音波振動子（４０）と、当該超音波振動子の振動面を満たすように設けられた超音波伝播媒体または霧化対象液体（Ｌｉｑ１）と、当該超音波伝播媒体または霧化対象液体の中に設けられ、当該霧化対象液体の界面付近に超音波を集束させて当該液体を霧化するための超音波集束反射機構（２５）とから構成され、前記霧搬送筒（２７）は、当該超音波の集束によって局所的に飛散する液体を取り囲むように、かつ、当該筒下部から空気が入るように、かつ、当該液体の飛散とともに発生する散乱超音波を進行波に変換する超音波反射管によって構成され、前記瞬間的に高い気圧を発生させる手段（７４）は、空気砲によって構成されることを特徴とする。
【００２３】
前記手段２において、液体を霧化するための超音波集束反射機構（２５）は、超音波凹面鏡レンズを用いることが望ましい。
【００２４】
＜手段３＞
本発明に係わる請求項３に記載の霧放出装置は、例えば、図５に対応付けて説明すると、前記手段１において、前記液体を局所的に霧化する手段（０５）は、帯電させた液体を噴射させるための液体噴射管（Ｔ１）と、当該管の先端に設けた高電圧を印加するための噴射電極（Ｔ１１）と、前記霧搬送筒（Ｔ３）の下部に設けられた対向電極（Ｔ３１）とから構成され、当該霧搬送筒は、局所的に飛散する液体を取り囲むように、かつ、当該筒下部から空気が入るように構成され、前記瞬間的に高い気圧を発生させる手段（７４）は、空気砲によって構成されることを特徴とする。
【００２５】
前記手段３において、前記霧搬送筒（Ｔ３）の腹部または上部には、当該筒に霧を搬送するための調整電極（Ｔ３２）を設けることができる。
【００２６】
＜手段４＞
本発明に係わる請求項４に記載の霧放出装置は、例えば、図１、図２、図５に対応付けて説明すると、前記手段１において、前記霧搬送筒（２７、または、Ｔ３）、または、当該霧搬送筒につながる霧放出筒（８０）の先端部を当該筒の腹部に比べて断面積が２／３〜１／１０程度になるように細くするとともに、先端角度αを２０度から８０度の範囲に設定したことを特徴とする。
【００２７】
＜手段５＞
本発明に係わる請求項５に記載の霧放出装置は、例えば、図１、図２、図５に対応付けて説明すると、前記手段１において、前記液体を局所的に霧化する手段（０５）と、前記瞬間的に高い気圧を発生させる手段（７４）は、連動するように駆動されることを特徴とする。
【００２８】
前記手段５において、図２に示すように、前記液体を局所的に霧化する手段（０５）の駆動によって前記霧搬送筒（２７）に取り込まれる霧の密度が計測され（４７、４８）、所定の密度以上で前記瞬間的に高い気圧を発生させる手段（７４）を駆動することができる。または、前記霧化手段（０５）の駆動の後、わずかな所定時間を置いて前記瞬間気圧発生手段（７４）を自動的に駆動することができる。
【００２９】
＜手段６＞
本発明に係わる請求項６に記載の霧放出装置は、例えば、図１に対応付けて説明すると、前記手段１から前記手段５において、前記霧搬送筒（２７）の下部と前記液面（Ｓｕｆ）との空間を開閉する機構（ＡｉｒＳＴ）を設けたことを特徴とする。
【００３０】
前記手段６において、当該空間を閉じた状態において、霧は当該霧搬送筒内に留まるように設定され、かつ、瞬間的に高い気圧を発生させる手段（７４）の動作によって霧の固まり（Ｌｍ）が放出されるように設定され、当該空間が開いた状態において、霧は超音波進行波、または、静電気力により連続的に放出される（Ｓｍ）ように設定することができる。
【００３１】
前記手段６において、前記空間を開閉する機構（ＡｉｒＳＴ）と、瞬間的に高い気圧を発生させる手段（７４）は、連動するように駆動制御でき、当該空間を開けて前記霧搬送筒に霧を取り込み、閉じて気圧発生手段を駆動できる。
【００３２】
＜手段７＞
本発明に係わる請求項７に記載の霧放出装置は、例えば、図２に対応付けて説明すると、前記手段１から前記手段６において、前記液体を局所的に霧化する手段（０５）は、化学物質を含有する少量の液体（Ｌｉｑ２(Ｗａ)）を局所的に霧化する手段であって、前記霧搬送筒（２７）は、局所的に飛散する液体を取り囲むように、かつ、当該筒下部から空気が入るように、かつ、霧化されなかった滴状液体（ＡＫ２）を当該局所的に飛散する液体の近傍（２０内）に戻すように構成されることを特徴とする。
【００３３】
＜手段８＞
本発明に係わる請求項８に記載の霧放出装置は、例えば、図１、図３、図４、図５に対応付けて説明すると、前記手段１から前記手段７において、前記霧搬送筒（２７、または、Ｔ３）の上部には、霧に化学物質を含有する手段（０７、または、０７１、または、１６）が設けられることを特徴とする。
【００３４】
前記手段１から前記手段８において、霧搬送筒（２７、または、Ｔ３）の内部または上部には、加熱手段（ＨＴ２、または、ＨＴ３、または、ＨＴ４）を設け、当該霧搬送筒内に上昇気流を発生するように構成してもよい。特に、前記手段８において、当該加熱手段は、前記化学物質を気化せしめるように設けられることが望ましい。
【００３５】
前記手段８において、霧に化学物質を含有する手段は、空気を通過する網目素材（０７、０７１）、または、多孔質素材（１６）に、液体化学物質、または、ジェル状化学物質（ａ、または、ｂ、または、ｃ）を吸蔵させて構成できる。
【００３６】
前記手段８において、霧に化学物質を含有する手段は、香料をゲル化して構成できる。
【００３７】
前記手段８において、図１に示すように、化学物質含有物（０７）は、複数の化学物質を吸蔵する領域または区画（ＹＳ）を有することができる。また、区画選択ケースを用いて、一部の区画を選択的に露出し、他の区画を遮蔽するようにできる。
【００３８】
前記手段８において、図１に示すように、前記液体霧化手段（０５）は、１ＭＨｚ以上の周波数で駆動される超音波振動子（４０）を用いた霧化手段であって、１〜１０ミクロン径の霧（ｍ）を多く発生するように設定することが望ましい。
【００３９】
前記手段８において、化学物質含有物（図１の０７、図３の０７１）は、板厚方向に多くの空気穴（Ａｉｒ）が形成された化学物質吸蔵機構で構成でき、液体化学物質、または、ジェル状化学物質を吸蔵できる。
【００４０】
前記手段１から前記手段８において、瞬間的に高い気圧を発生させる手段（７４）は、空気圧縮用膜（７５）と駆動装置（７７）と制御装置（Ｃｏｎ３）からなり、当該制御装置は、当該膜を瞬間的に移動して筒内（２７、または、８０）を加圧し、空気が当該筒を離れるまで当該膜をその位置に保持し、その後、ゆっくりと戻すように制御できる。当該駆動装置は、サーボモータ、カム機構、リンク機構などで構成できる。
【発明の効果】
【００４１】
＜手段１、手段２、手段４に係る効果＞
図１、図２に示すように、本発明では、超音波を凹面鏡レンズを用いて霧化対象液体の液面付近に集束させ、液体を霧化する。この際、霧が発生する方向には強い指向性を持つ散乱超音波が生じるため、これを超音波反射管である霧搬送筒に導くと、当該散乱超音波は、筒内を鋭角で反射しながら進行する。従って、筒内に霧または小さな滴状液体が存在すると、これらは、当該進行波のエネルギーによって搬送される。つまり、発生した霧は、超音波によって押し上げられ、殆どが筒の中を進行する。従って、筒の下部から流れ出て拡散する成分は少ない。また、同時に当該小さな滴状液体は、当該超音波エネルギーによって高速に振動し、霧化が促進される。
【００４２】
ここで、当該霧搬送筒の下部と当該霧化対象液体の液面との間に瞬間的に高い気圧を発生させると、当該霧搬送筒内には気流が発生するため、筒内を上昇する霧は、当該気流によって加速され、筒の開口部より放出される。
【００４３】
当該筒の開口部を、腹部に比べて断面積が小さくなるように構成すると、開口部では、円周に沿って当該円と直交する方向に渦が発生するため、霧は環状の固まりとなって飛行する。この様子は美しく、視覚的な癒し効果がある。
【００４４】
前記霧搬送筒の先端を当該筒の腹部８０ａに比べて断面積が２／３〜１／１０程度になるように細くするとともに、先端角度αを２０度から８０度の範囲に設定すると、安定した環状霧を作ることができ、数ｍの距離を飛行させることができる。また、環状霧にならない残留霧の発生も少なくできるため、化学物質を周辺に拡散させずに、所定の場所に効率よく搬送できる。
【００４５】
通常の超音波式霧化装置では、従来技術で述べたように、霧が発生する範囲が広いため、空気砲と連動させても砲筒内の霧を完全に放出することはできない。また、発生した霧が砲筒に入らず、周囲に拡散する場合も多い。空気砲を動作した後、砲筒内に霧が残留する場合、化学物質の切り替えに大きな支障がある。いつまでの前の化学物質が混入するためである。
【００４６】
しかし、本発明では、前記のように、霧の流れが一様な方向であるため、空気砲動作の後、霧搬送筒内に霧が残留することが少なく、化学物質の切り替えは極めて明確である。
【００４７】
本発明では、局所的に飛散する液体を取り囲むように、かつ、当該筒下部から空気が入るように、かつ、当該液体の飛散とともに発生する散乱超音波を進行波に変換するように構成されるため、霧化が静かである。
【００４８】
霧は霧搬送筒（２７）の内部以外に付着することが少ないため、清掃は容易でメンテナンス性が良い。
【００４９】
空気砲によって空気を固まりとして放出する場合、空気の中に混ぜる物質の質量が変化すると、空気の固まり（空気玉）の放出方向は定まりにくいが、本発明では、化学物質を霧に混ぜて放出するため、霧の固まりの質量が化学物質の種類によって大きく変化することは少ない。従って、放出特性は安定しており、狙った空間に化学物質含有霧を提示できる。
【００５０】
本発明では、超音波反射管を霧搬送筒として用い、空気砲の砲筒としても用いるため、従来の装置のように別の大きな砲筒は用いない、また、羽車などの気流発生手段も省略できる。このため、小形化、経済化に有利である。
【００５１】
以上、化学物質含有霧を装置の中に残留させず効率よく固まりとして放出する特性、および、静かに、狙った空間に当該霧を放出する特性は、液体を局所的に霧化する手段（０５）と、当該霧を取り込み霧化エネルギーを用いて当該霧を搬送する霧搬送筒（２７、または、Ｔ３）と、霧搬送筒の下部と液面との空間に瞬間的に高い気圧を発生させる手段（７４）との組み合わせによってはじめて実現されるものである。
【００５２】
＜手段３に係る効果＞
図５に示すように、液体を局所的に霧化する手段として、静電霧化方式を用いる場合であっても、前記超音波霧化方式と同様な効果がある。前記霧搬送筒（Ｔ３）の下部に対向電極（Ｔ３１）を設けると、霧は筒の中に放出され筒上部に搬送されるため、前記瞬間的に高い気圧を発生させる手段との組み合わせが有効である。
【００５３】
また、前記霧搬送筒（Ｔ３）の腹部（Ｔ３Ｂ）または上部（Ｔ３Ｃ）に、調整電極（Ｔ３２、Ｔ３３）を設けることにより、当該筒に霧を大量の導くことができるため、美しい霧の固まりを作る効果がある。
【００５４】
霧が拡散する範囲が限定的なので、清掃は容易である。香りの切り替えは明確である。
【００５５】
＜手段５に係る効果＞
図１、図２、図５に示すように、超音波、または、静電気によって霧を発生させ霧搬送筒に導く動作に続いて、瞬間的に高い気圧を発生する手段を動作させると、発生させた霧を無駄なく、確実に固まりとして放出できる。美しい霧であるため、演出効果、癒し効果がある。
【００５６】
更に、霧搬送筒内の霧の濃度を検出して、瞬間的に高い気圧を発生させる手段を動作すると、その効果は更に高まる。
【００５７】
＜手段６に係る効果＞
図１に示すように、前記霧搬送筒（２７）の下部と前記霧化対象液体の液面（Ｓｕｆ）との空間を開閉する機構（ＡｉｒＳＴ）を設け、当該開閉を制御すると、霧を美しい固まりとして放出できる。また、霧を固まりとして放出する動作と、霧を静かに連続的に放出する動作を簡単に選択することができ、変化に富んだ霧を演出できる。前記空間を開いた状態では、霧は、超音波の進行波エネルギーによって帯のように上昇し、自然に揺らぐため、癒し効果は高い。
【００５８】
＜手段７に係る効果＞
図２に示すように、超音波は集束反射され、小形液体容器の液面付近の液体を局所的に飛散させる。この際、大量の霧と滴状液体が超音波反射管で構成される霧搬送管の中に放出される。霧は、超音波の進行波によって当該筒内を上昇し、霧化しなかった滴状液体は、小形液体容器に回収される。霧または滴状液体の飛散範囲は極めて限定的なので、小形液体容器は、面積が小さく、底を浅くすることができる。従って、小形液体容器に、少量の化学物資含有液体（Ｌｉｑ２(Ｗａ)）を蓄積して使用できる。当該液体を消費させた後に、容器を取り替える、または、別な液体を蓄積することができる。つまり、放出させる化学物質含有霧の種類を切り替えることが容易である。
【００５９】
＜手段８に係る効果＞
図１、図３、図４、図５に示すように、前記霧搬送筒（２７、または、Ｔ３）の上部に、網目素材（０７、０７１）、または、多孔質素材（１６）に化学物質（ａ、または、ｂ、または、ｃ）を吸蔵させた霧に化学物質を含有する手段を設けると、霧には当該化学物質が混入するため、化学物質含有霧の種類を高速に切り替えて放出することが容易である。また、霧発生部には、化学物質が付着することはないので、装置内部が汚染されることは少なく、メンテナンスが容易である。
【００６０】
前記霧搬送筒の径は、噴霧の際のエネルギーを利用して霧を上昇させるため太くないので、これに連結するように設けられる当該化学物質含有物（０７）の化学物質含有領域（ＹＳ）も小さくできる。従って、種類の異なる化学物質含有領域を密集させることができる。小形な装置で、多様な化学物質を霧に含有させることができる。
【００６１】
通常、網目素材（０７、０７１）、または、多孔質素材に霧を通過させると、目詰まりを起こし易いが、本発明では、霧の径を１〜１０ミクロン程度に小さく制御すること、圧力を掛けて放出すること、前記素材の加熱温度を制御することによって、目詰まりの問題を解決して、霧に化学物質を含有させることができる。
【００６２】
当該網目素材に吸蔵させる化学物質としては、液体の他、ジェルが使用できる。吸蔵領域の液体またはジェルには、表面張力、または、粘性力が働くため、当該化学物質が垂れて霧搬送筒内を汚染することはない。
【００６３】
以上のように、本発明では、化学物質を香料にした場合、嗅覚特性がよく、視覚的に美しく、周囲を汚染することがなく、香りの高速で明確な切り替えが可能で、小形で経済的な嗅覚提示装置を実現できる。白い環状霧（Ｌｍ）がふわふわと上昇する様子は、面白く癒し効果がある。
【実施例１】
【００６４】
図１は、本発明の第１の実施例で、超音波で発生させた水の霧を筒型加熱手段ＨＴ３で温め、板状の化学物質含有物０７に通すことで、霧に様々な化学物質ａ、ｂを含有させて、環状霧Ｌｍ、または、帯状の霧Ｓｍとして放出する霧放出装置である。
【００６５】
同図（Ａ）は装置の縦断面図、（Ｂ）は０７の平面図、（Ｃ）は（Ａ）の二点鎖線ｓｅｃ付近での横断面図である。主な構成要素を説明する。同図において、０５は液体霧化手段、ＨＴ３は筒型加熱手段、０７は霧を放出する通路に設けられた平板型の化学物質含有物、８０は霧放出筒、０４は上部筐体、０６は下部筐体である。
【００６６】
前記構成要素の詳細と動作を説明する。液体霧化手段０５において、４０は超音波振動子、４１は超音波振動子取り付け部および駆動回路、Ｃｏｎ１は超音波振動子駆動制御装置、１９は超音波振動子の振動面を満たすように液体を入れる容器である。０１は１９に液体を注入する容器で、水Ｗが入っている。Ｗは注入ノズル０１１によって１９内に供給される。１９内のＬｉｑ１（Ｗ）は、超音波伝播媒体であり、かつ、霧化対象液体である。Ｌｉｑ１（Ｗ）は一定の水位に保たれている。２５は凹面鏡レンズで構成される超音波集束反射機構である。２７は超音波反射管で構成された霧搬送筒である。
【００６７】
超音波振動子４０が１ＭＨｚ以上の高周波で駆動されると、超音波はＬｉｑ１内を伝播し、凹面鏡レンズ２５で反射し液面Ｓｕｆ近くに集束する。液面は押し上げられ、図１（Ｄ）に示すように、小さな液柱ＡＫ１ができ、ＡＫ１Ｃ付近において局所的に飛散する。超音波を集束しているため、小さな空間から大量の霧が同図の上部に向けて発生する特徴がある。当該霧の発生と同時に、超音波もＡＫ１Ｃの小さい空間から上部に強い指向性をもって散乱する。
【００６８】
霧搬送筒２７は、ＡＫ１Ｃから上を囲むように設けられている。２７の下部は、飛散液体を筒内に取り込むように広がっている。また、当該下部は液面から少し上に位置し、下部から筒内に空気が取り込まれる構造になっている。２８は、２７を支持するとともに、２７の下部と液面Ｓｕｆとの間に気圧発生空間を作るためのケースである。当該ケース２８には開閉可能な空気穴Ａｉｒが設けられている。ＡｉｒＳＴは当該空気穴を開閉する機構である。２８は下部筐体０６に勘合するように設けられる。
【００６９】
２７に取り込まれた飛散液体には、霧ｍと霧にならなかった滴状液体ＡＫ２がある。超音波振動子４０が１ＭＨｚ以上の高周波で駆動される場合、霧ｍは、１０ミクロン以下の微小粒子になる。具体的には、２．４ＭＨｚで駆動されると３ミクロン径程度の粒子が大量に発生する。超音波振動子を薄く製造し、高周波駆動すると、１ミクロン程度の霧を発生させることができる。
【００７０】
霧搬送筒２７は、超音波反射管として、前記小さな空間ＡＫ１Ｃから上方に散乱する超音波を反射させ上方に進行波を作るように作用する。ＡＫ１Ｃで散乱する超音波は、前記のように上方に強い指向性を持つため、筒内で強い進行波となる。２７の太さは、５ｍｍから２０ｍｍ程度の範囲が望ましい。細すぎると、飛散液体を取り込むことができない、太すぎると進行波のエネルギー密度は低くなるためである。
【００７１】
発生した霧ｍは前記進行波によって上方への力を受ける。ここで、空気穴Ａｉｒが開いていると、一点鎖線のような気流ができ、霧は上方へ搬送される。ＡｉｒＳＴの動作によってＡｉｒが閉じると、空気の流れが止まるため、霧の上昇は止まる。
【００７２】
超音波エネルギーは当該筒２７に集められるため、滴状液体ＡＫ２は当該超音波によって高速に振動し霧化が促進される。つまり、２７によって発生する霧の量は大幅に増えると共に、平均的な粒子径が小さくなる。
【００７３】
また、２７は、滴状液体ＡＫ２を落下させ回収するガイドとしても作用する。霧化されなかった液体は、２７の内壁を伝って１９内に回収される。
【００７４】
霧搬送筒２７を上昇する霧は、加熱手段ＨＴ３を通り、化学物質含有物０７の化学物質含有領域ＹＳを通り、霧放出筒８０を通り放出される。ＹＳには液体吸蔵板９５が設けられ、化学物質（香料ｂ）が吸蔵されているため、霧ｍがＹＳを通過する際に、気化したｂがｍに混入し、化学物質含有霧ｍｂとなって、帯のような姿Ｓｍで放出される。
【００７５】
以上のように、２７は霧を搬送し、空気の流れを作るため、従来の超音波式霧化装置で必要不可欠な羽車などの気流発生手段は省略できる。超音波進行波による霧の放出は静かで姿は美しい。なお、霧を強く放出する場合には、羽車を併用できるのは当然である。
【００７６】
次に、瞬間気圧発生手段（空気砲）７４の構成と作用について説明する。７４は、気圧発生用ケース２８に取り付けられている。７５は空気圧縮用錐形膜、７７は７５をＭｏｖｅ方向に動作させる駆動ソレノイド、Ｃｏｎ３は７４の制御装置である。
【００７７】
ＡｉｒＳＴによって空気穴Ａｉｒが閉じた状態で７４が動作すると、２７の下部と液面Ｓｕｆとの間の気圧が上昇するため、一点鎖線Ｆｇで示すような気流が発生し、２７の中の霧は、上方に押し出され、霧放出筒８０の開口部８３から固まりＬｍとして放出される。
【００７８】
図１の構成で、美しい環状霧Ｌｍを発生させるためには、ＨＴ３と９５の空気穴を大きくし、数を増やし、空気の通過する面積を大きくして、空気抵抗を小さくすること、および、霧放出筒８０の先端８３を細くすることが重要である。
【００７９】
８０の先端を当該筒の腹部８０ａに比べて断面積が２／３〜１／１０程度になるように細くするとともに、先端角度αを２０度から８０度の範囲に設定すると、霧が筒を出るときの流速が中心部と周辺部で差が大きくなるため、気流は、開口部８３の円周に添って当該円周と直交する方向に渦を作り、安定した環状霧を作り易い。実験では５ｍ程度の距離を飛行させることができた。また、環状霧にならない残留霧の発生も少なくできるため、化学物質を周辺に拡散させずに、所定の場所に効率よく搬送できる。
【００８０】
空気砲７４と制御装置Ｃｏｎ３に関して、空気圧縮用膜７５を瞬間的に移動し、筒内（２７、または、８０）を加圧し、空気が当該筒を離れるまで当該膜をその位置に保持し、その後、ゆっくりと戻すように制御してもよい。この場合の空気圧縮膜を駆動する装置としては、サーボモータ、カム機構、リンク機構などで構成できる。この制御によって、美しい環状霧を作り、砲筒から真っ直ぐに飛行させることができる。
【００８１】
Ｃｏｎ１は、超音波振動子４０の動作出力、動作間隔、タイミングなどを制御できる。Ｃｏｎ３は、空気砲７４の動作出力、動作間隔、タイミングなどを制御してもよい。また、ＡｉｒＳＴには同図には示していない駆動制御装置Ｃｏｎ４を設けることができる。
【００８２】
これら制御装置を連携させると、更に美しい環状霧を作ることができる。例えば、空気穴Ａｉｒを開いた状態にして、超音波振動子４０を動作させ、霧を２７の中に導き、筒内に十分な霧が溜まった状態で、４０を停止し、ＡｉｒＳＴを動作させて空気穴Ａｉｒを閉じ、空気砲７４を動作させると、筒に溜まった霧を確実に放出できる。霧の流れは筒を上昇する方向以外にないので、霧が残留して悪影響を起こすことが少ない。化学物質含有霧を放出する場合、その切り替えは明確である。
【００８３】
また、空気穴Ａｉｒを開けた状態にし、超音波振動子４０を連続動作させ、霧を超音波進行波で押し上げ、更に、加熱手段ＨＴ３によって発生する熱上昇気流によって搬送すると、前述のように、帯状の霧Ｓｍになる。当該霧の上昇形態は、霧の動きが周波数ｆの逆数に概ね比例した頻度で現れるように、つまり、１／ｆ揺らぎを作るようになる。線香の煙を想起させるような動きで、視覚的な癒し効果がある。
【００８４】
このように、Ｃｏｎ１〜Ｃｏｎ４の制御の組み合わせを変えることによって、様々な霧を演出することができる。
【００８５】
次に、加熱手段ＨＴ３の構成について説明する。ＹＡＳは耐湿発熱体を示す。ＹＡＳの中には、発熱体であるニクロム線ＮＣが収められており、ＮＣの周囲には熱拡散充填材が詰められている。密閉構造なので、湿気が中に入ることはない。Ｃｏｎ２は加熱手段制御装置である。ＹＡＳへの駆動電流を制御することができる。
【００８６】
ＨＴ３は筒型を成す。ＹＡＳは耐湿構造になっているため、当該筒の中心に設けることができる。ＹＡＳの周囲には、熱拡散材８９が設けられている。８９には多くの空気穴Ａｉｒ２が設けられている。Ａｉｒ２は、空気抵抗を小さくすると共に、霧に熱を伝播し易く設計する。
【００８７】
また、加熱手段ＨＴ３は、超音波反射管２７の上部に、霧放出経路を横断するように設けられている。発熱体ＹＡＳの熱は熱拡散材８９に伝わり、霧放出筒内が一様に温められ、空気穴Ａｉｒ２の周辺も温められ、Ａｉｒ２内に熱上昇気流が発生する。
【００８８】
次に、化学物質含有物を集積した機構０７について説明する。図１（Ｂ）において、円盤型の台座には、６個の円領域が設けられ、各領域には液体化学物質を吸蔵する機構９５がはめ込まれている。９５が化学物質含有物である。
【００８９】
台座は例えばステンレスなどの板を切削して製造できる。化学物質吸蔵機構９５は、網状素材、または、多孔質素材で構成できる。当該素材の板厚方向に多くの空気穴が形成され空気が通過しやすいものを用いる。網状素材の場合は、３０番から１２０番程度の網目素材を数枚積層して構成できる。また、９５に空気穴を形成してもよい。
【００９０】
９５には、液体の他、ジェル状の化学物質を蓄えることができる。同図のａ、ｂ、ｃ、ｄ、ｅ、ｆは液体香料を示す。ＹＳは、化学物質含有領域または区画を分離する液体仕切り手段である。ＭＭは回転軸で、ＨＴ３の上部に任意の化学物質含有領域を選択して配置することができる。
【００９１】
９５は取り外しが可能である。取り外して水で洗浄する、または、使い捨てにすることができる。また、９５に吸蔵される液体、または、ジェルには表面張力、粘性力が働くため、垂れて、ＨＴ３、霧搬送筒内を汚染することはない。
【００９２】
９５に網目素材、または、多孔質素材を用い、霧を通過させた場合、一般に目詰まりを起こしやすい問題があるが、本発明では、霧の径を１〜１０ミクロン程度に小さく制御すること、空気砲による圧力、または、２７内の超音波進行波による上方への圧力によって霧を放出すること、当該素材の加熱温度を制御することによって、目詰まりは生じない。数日のランニング試験でも何の問題も起きなかった。
【００９３】
０７は全体を、同図には示していない区画選択ケースを用いて覆い、一部の区画を選択的に露出し、他の区画を遮蔽できる。これによって、加熱手段上部の区画の化学物質のみを気化して、霧に含有させることができる。
【００９４】
当該実施例では、化学物質が混入される場所が霧搬送筒２７、または、加熱手段ＨＴ３の上部であり、霧の流れが一方向であるため、ＭＭを回転した場合、化学物質の切り替えは極めて高速である。当然、操作は簡単である。また、霧搬送筒の径が太くないので、ＹＳで囲まれる化学物質含有領域は小さくでき、０７の中に集積できる。従って、小形な装置で、多様な化学物質を霧に含有させることができる。気化した化学物質が付着する場所は、霧放出筒８０の内部のみであり、清掃は容易である。
【００９５】
０７の化学物質含有領域（区画）には、香料、医薬品、抗菌剤、殺虫剤などの区画の他、空の区画を設けることができる。また、回転軸の駆動をコンピュータ制御にすることもできる。１日の生活パターンに合わせて様々な化学物質を霧に含有して放出する、または、水の霧を放出するようにプログラムすることができる。霧が放出される際には、大量のマイナスイオンが発生する。
【００９６】
芳香器への応用では、香料が適度な湿り気を持って提示されるため、嗅覚刺激は柔らかく快適である。変化に富んだ香り、視覚的な面白さが相まって魅力的な商品になる。
【００９７】
同図（Ｂ）において、０７の各区画、または、化学物質吸蔵機構９５には、化学物質の種類、性質、使用方法、関連情報などを記録するための集積記憶回路０２ａ、０２ｂ、０２ｃ、０２ｄ、０２ｅ、０２ｆが設けられている。また、同図（Ａ）の上部筐体０４の右上には、当該集積記憶回路に給電すると共に当該集積記憶回路との間で信号を送受できる回路０３が設けられている。
【００９８】
０７を回転する際に、これらの集積記憶回路と前記給電兼信号送受回路０３を対向させると、０３は、前記記憶情報を読み取り、この情報を同図には示していない処理装置に送信する。処理装置は、予め設定したプログラムに従って、Ｃｏｎ１からＣｏｎ４に指示命令を与え、霧の放出を演出することができる。
【００９９】
また、霧の放出に合わせて、同図には示していない別の装置を用いて映像や音響を提示することができる。香料の嗅覚印象に関連する視覚情報または聴覚情報を提示すると、霧の動きの美しさ、香りの心理的、生理的作用と相まって癒しや、活性など目的とする効果は高まる。
【実施例２】
【０１００】
図２は、本発明の第２の実施例で、小形液体容器２０に入れた化学物質含有液体を超音波で霧化し、当該化学物質含有霧ｍａを環状霧Ｌｍにして放出する霧放出装置である。図１と比較して異なる点を中心に説明する。
【０１０１】
液体霧化手段０５には、少量の霧化対象液体を保持する小形液体容器２０が設けられている。２０は底部に窪みを持ち、窪み部には超音波通過膜２３が設けられている。２３の素材としては、超音波の減衰を避けるため、Ｌｉｇ１と音響インピーダンスが近い物質が望ましい。シリコンゴム、塩化ビニール樹脂などが使用できる。また、薄い膜であれば、素材の音響インピーダンスが合わなくて使用することができる。例えば、ステンレス膜、ガラス膜、紙などが使用できる。
【０１０２】
実験の結果、硬度の高いガラスや金属の場合０．２ｍｍ以下の厚さ、硬度が低い樹脂やゴムの場合０．５ｍｍ以下の厚さが適している。
【０１０３】
２０は、２３がＬｉｑ１に接触するように、下部筐体０６に脱着可能に取り付けられている。２０の中には、霧化対象液体Ｌｉｑ２として、水Ｗに香料ａを含有した化学物質（香料）含有液体Ｗａが蓄積されている。
【０１０４】
４０から出た超音波は、凹面鏡レンズ２５で反射され、２３を通過し、Ｌｉｑ２の液面付近に集束される。Ｌｉｑ２（Ｗａ）は局所的に飛散し、香料含有霧ｍａと滴状液体ＡＫ２が霧搬送筒２７に取り込まれる。２７の中には、超音波の進行波が生じているため、霧ｍａは上方へ押し上げられる。
【０１０５】
ＡｉｒＳＴが開いた状態では、気流が生じるため、霧は霧搬送筒２７の上部にまで達する。２７の中の霧の濃度は、ホトカプラによって検出される。
【０１０６】
４７はＬＥＤ、４８はフォトトランジスタで、両者でフォトカプラを構成している。ＬＥＤ４７の出力を一定とすると、前記フォトカプラの間を霧が通過する際、霧の量が増えると光が遮られるため、フォトトランジスタ４８の出力は低下する。つまり、霧の量を検出することができる。
【０１０７】
霧の濃度が所定値になったところで、ＡｉｒＳＴによって空気穴Ａｉｒを閉じ、瞬間気圧発生手段７４を動作すると、２７内には、瞬間的な強い気流が発生するため、霧ｍａは、２７につながる霧放出筒８０の開口部８３から霧の固まりＬｍとして放出される。開口部を筒の腹部に対して細くすると、美しい環状霧となって放出される。
【０１０８】
霧放出筒８０は、曲がった形状をなし、霧搬送筒２７に対して回転可能に取り付けられている。従って、８０を回転すると、開口部を様々な方向に向けることができる。
【０１０９】
前記、瞬間気圧発生手段７４を動作する際に、空気穴Ａｉｒを閉じる例を示したが、空気穴が小さい場合には、７４の動作時に２７の下部とＬｉｑ２の液面との間の気圧は十分に上昇するため、空気穴Ａｉｒは常に開放しておいてもよい。
【０１１０】
前記小形液体容器２０は、液体が超音波通過膜２３の上に溜まるように設計されるため、液層は浅くできる。液体は同図には示していない液体槽から供給することができる。また、超音波により飛散し、霧化されなかった滴状液体ＡＫ２は、２７の内壁を伝って２０に戻るため、２０の面積は２７の下部が収まる程度に小さくできる。液層が浅く、面積が小さいため、２０の霧化対象液体Ｌｉｑ２は少量でよい。
【０１１１】
Ｌｉｑ２が少量である第１の利点は、短い時間で消費させることができることである。完全に消費させ２０内が空になっても、超音波振動子４０はＬｉｑ１に満たされているため、空焚きになることはない。２０が空になった後、２０に別な香料含有液体を霧化することができる。
【０１１２】
第２の利点は、カプセル化が可能である。複数の小形液体容器に異なる香料液体を入れておき、取り替えて霧化することが容易である。また、当該カプセルには、当該液体に関する情報を記憶する集積記憶回路を設けることができる。図１で説明した場合と同様に、当該情報に基づいて霧化を制御する、視聴覚情報を提示するなどが可能である。
【０１１３】
Ｌｉｑ２としては、香料含有液体、医薬品、ミネラル水、純水、酒類、抗菌剤含有水などが使用できる。
【０１１４】
図２の実施例と図１の実施例を組み合わせてもよい。例えば、図２においてＬｉｑ２としてミネラルウォータ、抗菌剤含有水、純水など、美容や健康に効果がある霧化対象液体を用い、当該霧を図１に示す化学物質含有物７０に通すことができる。化学物質として森林系の香料を用いると、森林欲と似た効果が得られる。
【実施例３】
【０１１５】
図３は、前記第１の実施例において、超音波で発生させた霧に化学物質を含有する機構の他の実施例である。同図（Ａ）は縦断面図、（Ｂ）は上面図である。図１と比較して異なる点を中心に説明する。
【０１１６】
霧搬送筒２７の上部には、筒内部加熱式の筒型加熱手段ＨＴ４と、円筒形の化学物質含有物０７１が設けられている。ＨＴ４の中心部には耐湿発熱体ＹＡＳが設けられている。ＹＡＳは、管状のステンレス容器ＳＵＳにニクロム線ＮＣと熱拡散充填材ＮＣ２を入れて構成される。ＮＣ１は配線である。８７はＹＡＳを支持するための機構で、空気穴Ａｉｒ４が設けられている。
【０１１７】
化学物質含有物０７１は、網目機構で構成される液体吸蔵板９５と、空気穴Ａｉｒ３を有するカバー板９３、９４で構成され、ＹＡＳを囲むように取り付けられている。９５には、液体香料ａが吸蔵されている。
【０１１８】
ＮＣに通電しＹＡＳを加熱し、その熱を０７１に伝えると、ａは気化し、霧ｍに混入する。香料含有霧ｍａは一点鎖線Ｆｇに示すように上昇する。
【実施例４】
【０１１９】
図４は、前記第１の実施例において、超音波で発生させた霧に化学物質を含有する機構の他の実施例である。同図（Ａ）は縦断面図、（Ｂ）は上面図である。図１と比較して異なる点を中心に説明する。
【０１２０】
霧搬送筒２７の上部には、筒型加熱手段ＨＴ２と、香料ｃを含有する多孔質素材１６が設けられている。ＨＴ２は霧放出筒８０の外側を発熱体ＹＡＳで囲むようにして構成される。ＹＡＳは、ニクロム線ＮＣ、熱拡散充填材ＮＣ２などで構成されるが円筒形を成す。
【０１２１】
ＮＣに通電しＹＡＳを加熱し、その熱で８０内を温めると多孔質素材１６も温まり、香料ｃが気化して霧に混入する。香料含有霧ｍｃは一点鎖線Ｆｇに示すように上昇する。１６には、樹木系香料を磨り潰し粘着剤を用いて固め、表面に多数の穴を開けて製造できる。樹木系香料としては、白檀、沈香などを用いることができる。
【実施例５】
【０１２２】
図５は、本発明の第３の実施例で、静電霧化方式で発生させた霧ｍを、筒型加熱手段ＨＴ３で温め、板状の化学物質含有物０７に通すことで、当該霧に様々な化学物質を含有させて放出する霧放出装置である。図１と比較しすると霧化方式が異なる。異なる点を中心に説明する。
【０１２３】
同図において、０１は水Ｗの容器で、Ｗは注入ノズル０１１によって容器２１に供給されている。毛細管型液体噴射管Ｔ１の下端は、容器２１に蓄積された霧化対象液体Ｌｉｑ１（水Ｗ）の中にある。毛細管現象によって、当該液体は当該管の上部に達しているものとする。Ｔ１の上部は噴射電極Ｔ１１を構成している。当該電極には、直流電源ＥＥ１により、高電圧が印加される。Ｇは接地、Ｓｗはスイッチである。
【０１２４】
Ｔ３は、前記噴射管Ｔ１から放出される微粒子を受け入れ当該微粒子の飛散方向を揃えて搬送するための霧搬送筒で、下部には、対向電極Ｔ３１が設けられている。Ｔ３１はリング形状をなし、霧搬送筒を取り囲むように設けられている。Ｔ１１とＴ３１との間には、強い電界Ｅ１を発生させることができる。前記液体噴射管の液体を帯電させると当該管先端の液体は、当該電界の力で引きちぎられ微粒子ｍになる、つまり霧化して当該霧搬送管Ｔ３の中に入る。
【０１２５】
霧搬送筒Ｔ３の腹部、または、上部には、霧ｍを当該筒の軸方向に搬送するための調整電極Ｔ３２が設けられている。ＥＥ２は直流電源である。Ｅ２は、Ｔ３１とＴ３２との間に生じる電界である。霧は、当該電界Ｅ２によって霧搬送筒上部に搬送される。
【０１２６】
ここで、前記霧化の際、粒子径の大きな滴状液体ＡＫ２も発生するが、当該滴状液体は、筒の壁に衝突して落下し、前記香料含有液体溜に回収される。
【０１２７】
霧搬送筒Ｔ３の上部には、筒型加熱手段ＨＴ３が接続されている。ＨＴ３の上部には、化学物質含有物０７が設けられている。０７に吸蔵された香料ｂは当該加熱によって気化し、霧ｍに混入し、香料含有霧ｍｂとなって霧放出筒８０に溜まる。
【０１２８】
ここで、空気砲７４を用いて、Ｔ３の下部と液面Ｓｕｆとの間、即ち、気圧発生用ケース２８内に瞬間的に気圧を発生させると、Ｔ３内には上昇気流が発生し、霧放出筒の開口部８３から環状霧Ｌｍが放出される。Ａｉｒ４は２８に空気を取り込む空気穴である。一点鎖線Ｆｇは気流を示す。
【０１２９】
化学物質含有物０７の回転軸ＭＭを回すと、様々な化学物質含有霧を高速に切り替えて放出することができる。
【０１３０】
本発明は、上記各実施形態に限定されるものではなく、実施段階において、その要旨を逸脱しない範囲で種々に変更することが可能である。また、上記実施形態は、種々の段階の発明が含まれており、適宜な組み合わせにより実施してもよい。更に、上記各実施例の構成要素は、その目的を踏まえて適宜省略する、または、周知慣用技術で補うことができる。
【産業上の利用可能性】
【０１３１】
（１）高機能芳香発生装置；少量の香料で大きな嗅覚刺激が得られるので高級自然香料（天然香料）を使用できる。複数種類の香りを切り替えて提示することで高い癒し効果が得られる。また、香料含有霧を空中に美しく放出できるので、視覚的な癒し効果が得られる。また、霧の放出にあわせて音響や音楽を発生させる、あるいは、映像を提示すると、癒し効果は更に高い。
【０１３２】
当該芳香発生装置は、ストレス解消や苦痛緩和の要求が高い病院の待合室、ホテルの客室、集中力を高めたい子供の勉強部屋、汗臭さを解消したいスポーツ練習場、安らかな眠りを誘発させたい寝室、特別な顧客にサービスする航空会社、銀行などのロビー、会議室などに最適である。また、パチンコ店など空気の汚れた場所で爽快感を演出する際にも効果的である。
【０１３３】
（２）電子式香炉；発生した霧が加熱手段によって温められると、霧は細い線、または、環状固まりとなって立ち上る。この様子は、美しく癒し効果がある。当該電子式香炉は、火を使わないので安全で、嗅覚特性も優れている。装置の外側を木工彫刻、磁器彫刻で装飾を施すと、高級な電子式香炉になる。
【０１３４】
また、化学物質含有物０７、または、分割領域選択ケース０８に金、プラチナなどの貴金属を使用すると更にリッチな感覚の電子香炉になる。貴金属は腐食し難いので香り特性がよい。
【０１３５】
（３）感染症予防空気清浄装置；天然香料には免疫力を高め、ウイルスを撃退する作用のあるものがある。これらを霧として放出することにより、感染症予防として利用できる。例えば、風邪の予防には、ヒノキ、レモン、ハーブ系の香りが効果的である。花粉症にはユーカリ、ペパーミントなどが効果的である。次亜塩素酸ナトリウムは殺菌作用あるので、水に溶かし噴霧することで感染症予防になる。病院や老人ホームなど身体的弱者の生活空間に適している。また、霧化の際に大量のマイナスイオンが発生するので森林浴と同様なリフレッシュ効果がある。エアコンやファンヒータに連動させることも可能である。
【０１３６】
（４）訪問客向け雰囲気演出装置；本発明は、香料含有霧を高速に発生できる特徴がある。店舗の入り口などで入店客が居ることを検出して、直ぐに香りを発生し、良い雰囲気を演出できる。また、家庭の玄関用芳香装置としても最適である。電源を入れると直ぐに香料含有霧が発生するため、ドアホンと連動させ、お客の訪問を検知した後、香りを発生する用途にも対応できる。必要な時間帯に集中して香りを発生できるため、香料の効率的な使用が可能で経済的である。
【０１３７】
（５）香り発生トイレ；本装置をトイレの便器に連動させることもできる。使用者が便器に接近した際、これを検出して香りを発生する。本発明は高速に香りを発生、または、切り替えることができるので、便器を使用中のみ爽やかな香りを発生させることができる。また、使用者毎に好みの香りを発生することもできる。例えば、化学物質含有物０７の１つの液体吸蔵区画に匂いを分解する薬品を入れておき消臭のための霧発生を行い、その後に香り発生動作を行うことができる。クリアで良い香りになる。
【０１３８】
（６）香り発生時計；複数の香りを時刻に対応させ、時報として利用できる。例えば、朝は、ベルガモット、レモン、ペパーミント、コーヒーなど爽やかな目覚めの良い香り、昼間は、グレープフルーツ、シダーウッドなど集中力を高めるリフレッシュな香り、夜は、ラベンダー、ローズウッド、スイートオレンジなどのリラックスな香りを放出することができる。また、短い時間で部屋の香りを切り替えると、香りが複雑に混ざり、素敵な芳香空間を作る。
【０１３９】
（７）自動車の運転支援装置；本発明では、離れた場所の局所的空間に香りを提示できる。この特性を利用し、運転者支援用の芳香器が可能である。例えば、運転中に疲労を感じた場合には、リフレッシュ作用のある柑橘系の香料を提示し、渋滞などで、いらいら感が増した場合には、リラックス作用のあるラベンダーなどを提示できる。居眠りを検出する装置と組み合わせると、香りを提示して、注意喚起することができる。また、助手席、後部座席の同乗者には、別な香りを提示できる。
【０１４０】
（８）防災警報装置；地震、津波、テロなどによって大きな災害が予想される場合、危険を知らせる警報として香りを使用できる。テレビやラジオ放送で危険を知らせる特殊信号を送信する。受信端末は当該信号を受信すると、本発明を応用した香り発生装置を制御して、視聴者に注意を喚起するため、香りの固まりを提示できる。異変を確実に知らせる手段として効果的である。また、危険な場所への立ち入りを制限するために、人が当該場所に近づいたことをセンサで検知し、当該場所に所定の香りを放出することができる。
【０１４１】
（９）映像や音楽に匂いを付ける嗅覚提示装置；香を高速でクリアに切り替えることが可能なので、映画や音楽などに同期して香り提示できる。コンテンツの場面変化に合わせて適切な香りが提示されると臨場感が向上する。また香り通信、インターネットを用いた電子商取引での商品紹介にも利用できる。映像装置の脇に本提示装置を置き、視聴者の鼻先目掛けて香りの固まりを放出すると効果的である。
【０１４２】
（１０）医療用霧発生装置；医薬品を吸蔵した化学物質含有物０７を用いると、当該医薬品を肺から摂取することができる。即効性がある。錠剤を胃から吸収できない、点滴も適用できない患者などには最適である。気管支系の病気治療に適している。
【０１４３】
（１１）嗅覚検査装置；図１の構成において、純水の霧に僅かな嗅覚物質を含有して提示する、または、図２の構成において、所定濃度の嗅覚物質含有液体を霧化して提示することによって、人の嗅覚力を測る検査装置として利用できる。
【０１４４】
（１２）香り教育装置；香りを取り入れた情操教育が行われている。本発明では、子供に多くの香りを高速に切り替えて、映像や音響と共に提示することができる。五感を刺激するので、情操教育に適している。
【０１４５】
（１３）殺虫剤噴霧装置；化学物質含有物０７の各液体吸蔵区画に殺虫剤と香料を吸蔵し、切り替えて使用できる。殺虫剤のみを使用し長時間気化させた場合、薬剤が体質に合わないなど健康上の副作用を気にする人もいるが、殺虫剤と香料を切り替えて使用すると、必要最小限の殺虫剤で済むとともに、香によって気分転換が図れて快適である。
【図面の簡単な説明】
【０１４６】
【図１】本発明の第１の実施例で、超音波で発生させた霧（ｍ）を筒型加熱手段（ＨＴ３）で温め、板状の化学物質含有物（０７）に通すことで当該霧に様々な化学物質（ｂ）を含有させて、環状霧（Ｌｍ）、または、帯状の霧（Ｓｍ）として放出する霧放出装置である。
【図２】本発明の第２の実施例で、小形液体容器（２０）に入れた化学物質含有液体（Ｌｉｑ２（Ｗａ））を超音波で霧化し、当該化学物質含有霧（ｍａ）を環状霧（Ｌｍ）にして放出する霧放出装置である。
【図３】前記実施例において、超音波で発生させた霧に化学物質を含有する機構の他の実施例である。
【図４】前記実施例において、超音波で発生させた霧に化学物質を含有する機構の他の実施例である。
【図５】本発明の第３の実施例で、静電霧化方式で発生させた霧（ｍ）を筒型加熱手段（ＨＴ３）で温め、板状の化学物質含有物（０７）を通すことで当該霧に様々な化学物質（ａ、ｂ）を含有させて放出する霧放出装置である。
【符号の説明】
【０１４７】
０１・・・・・液体容器
０１１・・・・注入ノズル
０２ａ、０２ｂ、０２ｃ、０２ｄ、０２ｅ、０２ｆ・・・集積記憶回路
０３・・・・・集積記憶回路への給電兼信号送受回路
０４・・・・・上部筐体
０５・・・・・液体霧化手段
０６・・・・・下部筐体
０７・・・・・化学物質吸蔵機構を用いた化学物質含有物（平板型）
０７１・・・・化学物質吸蔵機構を用いた化学物質含有物（円筒型）
１６・・・・・化学物質ｃを含有する多孔質素材
１９・・・・・超音波振動子の振動面を満たすように液体を入れる容器
２０・・・・・超音波通過膜付き小型液体容器
２１・・・・・霧化対象液体容器
２３・・・・・超音波通過膜
２５・・・・・超音波集束反射機構（超音波凹面鏡レンズ）
２７・・・・・霧搬送筒（超音波反射管）
２８・・・・・気圧発生用ケース
４０・・・・・超音波振動子
４１・・・・・超音波振動子取り付け部および駆動回路
４７・・・・・ＬＥＤ
４８・・・・・フォトトランジスタ
７４・・・・・瞬間気圧発生手段（空気砲）
７５・・・・・空気圧縮用膜
７７・・・・・駆動装置（駆動ソレノイド）
８０・・・・・霧放出筒
８３・・・・・霧または気体の放出開口部
８７・・・・・空気穴付き支持機構
８９・・・・・熱拡散材
９３、９４・・カバー板
９５・・・・・液体吸蔵板
ａ、ｂ、ｃ、ｄ、ｅ、ｆ・・化学物質（香料）
Ａｉｒ、Ａｉｒ２、Ａｉｒ３、Ａｉｒ４・・空気穴
ＡｉｒＳＴ・・空気穴開閉機構
ＡＫ１・・・・小さな液柱
ＡＫ１Ｃ・・・液体飛散部分
ＡＫ２・・・・滴状飛散液体
Ｃｏｎ１・・・液体霧化手段の制御装置（超音波振動子駆動制御装置）
Ｃｏｎ２・・・加熱手段の制御装置
Ｃｏｎ３・・・瞬間気圧発生手段の制御装置
Ｅ１、Ｅ２・・電界
ＥＥ１、ＥＥ２・・・直流電源
Ｆｇ・・・・・霧または気体の放出経路
Ｇ・・・・・・接地
ＨＴ２・・・・筒型加熱手段（筒外側加熱式）
ＨＴ３・・・・筒型加熱手段（熱拡散材を用いた筒内部加熱式）
ＨＴ４・・・・筒型加熱手段（筒内部加熱式）
Ｌｉｑ１・・・超音波伝播媒体、または、霧化対象液体
Ｌｉｑ２・・・霧化対象液体
Ｌｍ・・・・・霧の固まり、または、環状霧
ｍ・・・・・・水の霧
ｍａ・・・・・化学物質（香料）ａを含有する霧
ｍｂ・・・・・化学物質（香料）ｂを含有する霧
ｍｃ・・・・・化学物質（香料）ｃを含有する霧
ＭＭ・・・・・回転軸
ＮＣ・・・・・ニクロム線
ＮＣ１・・・・配線
ＮＣ２・・・・熱拡散充填材
Ｓｅｃ・・・・切断面
Ｓｍ・・・・・帯状の霧
Ｓｗ・・・・・スイッチ
ＳＵＳ・・・・ステンレス容器
Ｔ１・・・・・液体噴射管
Ｔ１１・・・・噴射電極
Ｔ３・・・・・霧搬送筒
Ｔ３１・・・・対向電極
Ｔ３２・・・・調整電極
Ｗ・・・・・・水
Ｗａ・・・・・化学物質（香料ａ）を含有する液体
ＹＡＳ・・・・耐湿発熱体
ＹＳ・・・・・液体仕切り手段（化学物質を含有する領域または区画）
【図１】
2007181654.tif 000003
【図２】
2007181654.tif 000004
【図３】
2007181654.tif 000005
【図４】
2007181654.tif 000006
【図５】
2007181654.tif 000007